(57)【要約】      （修正有）【課題】デザイン性を具備し、高級感を創出することができる付箋を提供する。【解決手段】複数枚のシート１２が積層されて直方体１４となる付箋１０であって、付箋１０の平面１４Ａと底面１４Ｂではない四方側面１６に金付け１８が施され、シート１２の平面視においてシート１２の各縁部から余白領域２０を介した中央部２２にシート１２の積層状態を維持可能にするための粘着剤２４が設けられていることにより、付箋１０の四方側面１６の強度を向上させるとともに、付箋１０の高級感を創出することができる。【選択図】図１
0003215933.tif 000002
【実用新案登録請求の範囲】
【請求項１】
複数枚のシートが積層されて立方体となる付箋であって、
前記付箋の平面と底面ではない四方側面に金付けが施されていることを特徴とする付箋。
【請求項２】
前記シートの厚みが０．１５ｍｍであることを特徴とする請求項１に記載の付箋。
【請求項３】
前記シートの平面視において前記シートの各縁部から余白領域を介した中央部に、前記シートの積層状態を維持可能にするための粘着剤が設けられていることを特徴とする請求項１又は２に記載の付箋。
【請求項４】
前記シートの平面視において前記シートの一辺の寸法が６３ｍｍであり、前記立方体の高さ寸法が２１ｍｍであることを特徴とする請求項１乃至３のいずれか１項に記載の付箋。
【請求項５】
前記シートの平面視において前記粘着剤が設けられた領域の一辺の寸法は４０ｍｍであることを特徴とする請求項３又は４に記載の付箋。
【考案の詳細な説明】
【技術分野】
【０００１】
本考案は、複数のシートが積層されてなる付箋に関する。
【背景技術】
【０００２】
従来から付箋について様々なものが知られている。
【０００３】
例えば、下記特許文献１は、付箋の長手方向糊付き部の端部の一定の幅を糊無しとし、この糊無しの幅を３〜１０ｍｍ程度として、糊無し部分をめくりあげることにより、糊り付き部側からも付箋綴りから剥ぎ取ることができることを特徴とする粘着剤付き付箋が開示されている。
【０００４】
下記特許文献１によれば、付箋のケースから綴りを取り出すときには、糊付き部をケースの取り出し側に位置させることにより、付箋綴り全体を取り出す必要がなくなり、糊付き部の半分程度を露出させるだけで付箋をめくり上げて剥がし取ることができる。
【０００５】
なお、ケースによっては取り出しやすくするため、付箋綴りの一方の端部を露出させている種類のものが多い。この種のケースの場合には、糊付き部をケースの露出側に位置させることによって、綴りを引き出すことなく、ケースに納まったままの状態で付箋を剥ぎ取ることができる。
【０００６】
また、糊付き部端部の糊無しの部分から剥ぎ取ることができるので、従来品のように持ち替えたり、手を添え直したりすることなく、剥ぎ取った状態のままで対象物に貼り付けることもできる。
【０００７】
さらに、貼り付けた付箋を剥がすときも、糊付き部分の端部が対象物に粘着していないので、この端部からも剥ぎ取ることができる。
【先行技術文献】
【特許文献】
【０００８】
【特許文献１】実用新案登録第３０３５８２７号
【考案の概要】
【考案が解決しようとする課題】
【０００９】
しかしながら、上記特許文献１では、デザイン性に欠けるうえ、付箋の高級感に欠けるものであった。
【００１０】
そこで、本考案は、上記問題を解決するためのものであり、デザイン性を具備し、高級感を創出することができる付箋を提供することを目的とする。
【課題を解決するための手段】
【００１１】
本考案は、複数枚のシートが積層されて立方体となる付箋であって、前記付箋の平面と底面ではない四方側面に金付けが施されていることを特徴とする。
【００１２】
この場合、前記シートの厚みが０．１５ｍｍであることが好ましい。
【００１３】
この場合、前記シートの平面視において前記シートの各縁部から余白領域を介した中央部に、前記シートの積層状態を維持可能にするための粘着剤が設けられていることが好ましい。
【００１４】
この場合、前記シートの平面視において前記シートの一辺の寸法が６３ｍｍであり、前記立方体の高さ寸法が２１ｍｍであることが好ましい。
【００１５】
この場合、前記シートの平面視において前記粘着剤が設けられた領域の一辺の寸法は４０ｍｍであることが好ましい。
【考案の効果】
【００１６】
本考案によれば、付箋の平面と底面ではない四方側面に金付けが施されているため、付箋の高級感を創出することができる。また、付箋の強度及び意匠性が向上する。
【００１７】
また、シートの厚みが０．１５ｍｍであることにより、各シートの強度が確保されるとともに、付箋のさらなる高級感を創出することができる。
【００１８】
また、シートの平面視においてシートの各縁部から余白領域を介した中央部に、シートの積層状態を維持可能にするための粘着剤が設けられているため、各シートのいずれの側面からも剥がすことが可能である。
【００１９】
また、シートの平面視において前記シートの一辺の寸法が６３ｍｍであり、立方体の高さ寸法が２１ｍｍであることにより、比較的大型の高級感を備えた付箋を得る。
【００２０】
また、シートの平面視において粘着剤が設けられた領域の一辺の寸法は４０ｍｍであることにより、シートの各縁部の内側に粘着剤を塗布する領域を形成できる。
【図面の簡単な説明】
【００２１】
【図１】本考案の一実施形態の付箋の斜視図である。
【考案を実施するための形態】
【００２２】
本考案の一実施形態に係る付箋について、図面を参照して説明する。
【００２３】
図１に示すように、付箋１０は、複数枚のシート１２の積層状態が維持されて立方体１４となる。
【００２４】
各シート１２、換言すれば立方体１４の平面（上面）１４Ａ及び底面（下面）１４Ｂではない四方側面１６には、金付け１８が施されている。金付け１８は、メタリック箔とも称し、金付け加工はメタリック箔加工ともいう。
【００２５】
金付けには、手作業での金付け工程と、機械での金付け工程と、がある。
【００２６】
（手作業での金付け工程）
手作業での金付け工程では、先ず、金付けする側面を紙やすり等で丁寧に研磨する（研磨工程）。次に、卵の白身に薬品を混ぜた特殊な接着液を刷毛で塗布し、一枚四寸二分(13.2cm)角の金箔を小口サイズに継いで貼る（糊付け・箔貼り工程）。さらに、熱した金コロで圧着する（圧着・乾燥工程）。
【００２７】
（機械での金付け工程）
機械での金付け工程では、先ず、自動金付機又は角丸金付機等のローラーで均一に接着剤塗布し、一方ずつ金付けを行う（金付け工程）。ロール状のホイルを熱圧着で貼り付けていき、乾燥させる（圧着・乾燥工程）。
【００２８】
付箋１０の金付け加工には、手作業での金付け工程又は機械での金付け工程のいずれか又は両方で実行される。
【００２９】
また、各シート１２の厚みが約０．１５ｍｍとなるように設定されている。なお、通常の付箋のシートの厚みは約０．１ｍｍ程度であり、本考案の付箋１０の各シート１２の通常の付箋よりも厚めに形成されている。
【００３０】
各シート１２の平面視において各シート１２の各縁部から余白領域２０を介した中央部２２に、各シート１２の積層状態を維持可能にするための粘着剤２４が設けられている。これにより、各シート１２の平面視において粘着剤の外側領域には余白領域１８が形成されているため、当該余白領域２０では積層されたシート同士が相互に接着しない。これにより、各シート１２の縁部を容易に捲り上げることができる。また、各シート１２の方向性がないため、四方側面のいずれの側からも容易に捲り上げることができる。
【００３１】
シート１２の平面視においてシート１２の各縁部から余白領域２０を介した中央部２２に、各シート１２の積層状態を維持可能にするための粘着剤２４が設けられている。換言すれば、粘着剤２４の周囲には余白領域２０があり、この領域では積層方向に隣接するシート同士が接着されていない。このため、付箋の方向性が無くなり、取付けの自由度が上がる。
【００３２】
付箋１０の平面視において、縦方向のシート１２の辺の寸法が６３ｍｍ、横方向のシート１２の辺の寸法が６３ｍｍ、高さ（厚み）寸法が２１ｍｍに設定されているが、これらの寸法に限定されるものではない。
【００３３】
粘着剤２４は、例えば、縦方向の寸法が４０ｍｍ、縦方向の寸法が４０ｍｍに設定されているが、これらの寸法に限定されるものではない。
【００３４】
次に、本実施形態の付箋の作用効果について説明する。
【００３５】
図１に示すように、付箋１０の平面（上面）１４Ａ及び底面（下面）１４Ｂではない四方側面１６に金付け１８が施されているため、付箋１０の高級感を創出することができる。
【００３６】
また、付箋１０の意匠性を高めることができる。
【００３７】
また同時に、付箋１０の平面（上面）１４Ａ及び底面（下面）１４Ｂではない四方側面１６の強度を高めることができる。
【００３８】
シート１２の厚みが０．１５ｍｍであることにより、各シート１２の強度が確保されるとともに、付箋１０のさらなる高級感を創出することができる。
【００３９】
シート１２の平面視においてシート１２の各縁部から余白領域２０を介した中央部２２に、シート１２の積層状態を維持可能にするための粘着剤２４が設けられているため、各シート１２のいずれの側面からも剥がすことが可能である。
【００４０】
なお、上記構成は、本考案の一実施形態を示したものであり、実用新案登録請求の範囲が上記構成に限定される趣旨ではない。本考案の技術的思想が権利範囲として保護されるべきであるところ、当業者による設計変更程度は、本実用新案登録請求の範囲に含まれるべきものである。
【符号の説明】
【００４１】
１０      付箋
１２      シート
１４      立方体
１４Ａ    平面（上面）
１４Ｂ    底面（下面）
１６      四方側面
１８      金付け
２０      余白領域
２２      中央部
２４      粘着剤
【図１】
0003215933.tif 000003
【手続補正書】
【提出日】平成30年2月14日(2018.2.14)
【手続補正１】
【補正対象書類名】実用新案登録請求の範囲
【補正対象項目名】全文
【補正方法】変更
【補正の内容】
【実用新案登録請求の範囲】
【請求項１】
複数枚のシートが積層されてなる付箋であって、
前記付箋の平面と底面ではない四方側面に金付けが施されていることを特徴とする付箋。
【請求項２】
前記シートの厚みが０．１５ｍｍであることを特徴とする請求項１に記載の付箋。
【請求項３】
前記シートの平面視において前記シートの各縁部から余白領域を介した中央部に、前記シートの積層状態を維持可能にするための粘着剤が設けられていることを特徴とする請求項１又は２に記載の付箋。
【請求項４】
前記シートの平面視において前記シートの一辺の寸法が６３ｍｍであり、高さ寸法が２１ｍｍの直方体であることを特徴とする請求項１乃至３のいずれか１項に記載の付箋。
【請求項５】
前記シートの平面視において前記粘着剤が設けられた領域の一辺の寸法は４０ｍｍであることを特徴とする請求項３に記載の付箋。
【手続補正２】
【補正対象書類名】明細書
【補正対象項目名】００１１
【補正方法】変更
【補正の内容】
【００１１】
本考案は、複数枚のシートが積層されてなる付箋であって、前記付箋の平面と底面ではない四方側面に金付けが施されていることを特徴とする。
【手続補正３】
【補正対象書類名】明細書
【補正対象項目名】００１４
【補正方法】変更
【補正の内容】
【００１４】
この場合、前記シートの平面視において前記シートの一辺の寸法が６３ｍｍであり、高さ寸法が２１ｍｍの直方体であることが好ましい。
【手続補正４】
【補正対象書類名】明細書
【補正対象項目名】００１９
【補正方法】変更
【補正の内容】
【００１９】
また、シートの平面視において前記シートの一辺の寸法が６３ｍｍであり、高さ寸法が２１ｍｍの直方体であることにより、比較的大型の高級感を備えた付箋を得る。
【手続補正５】
【補正対象書類名】明細書
【補正対象項目名】００２３
【補正方法】変更
【補正の内容】
【００２３】
図１に示すように、付箋１０は、複数枚のシート１２の積層状態が維持されて直方体１４となる。
【手続補正６】
【補正対象書類名】明細書
【補正対象項目名】００２４
【補正方法】変更
【補正の内容】
【００２４】
各シート１２、換言すれば直方体１４の平面（上面）１４Ａ及び底面（下面）１４Ｂではない四方側面１６には、金付け１８が施されている。金付け１８は、メタリック箔とも称し、金付け加工はメタリック箔加工ともいう。
【手続補正７】
【補正対象書類名】明細書
【補正対象項目名】００４１
【補正方法】変更
【補正の内容】
【００４１】
１０      付箋
１２      シート
１４      直方体
１４Ａ    平面（上面）
１４Ｂ    底面（下面）
１６      四方側面
１８      金付け
２０      余白領域
２２      中央部
２４      粘着剤